(57)【要約】【課題】発光部と透過部を備えた遮光材と複数の発光部とスクリーンとを備えた発光具において、従来よりも装飾性が高いものを提供する。【解決手段】少なくとも１つの発光体１１を備え、第１の所定の発光パターンで発光する第１の発光部３と、少なくとも１つの発光体１３を備え、第２の所定の発光パターンで発光する第２の発光部５と、各発光部３，５が発した光が透過する透過部１５が一部に設けられている遮光材７と、各発光部３，５が発し記遮光材７の透過部１５を透過した光が投影されるスクリーン９とを有する発光具１である。【選択図】図３
2016206537.tif 000002
【特許請求の範囲】
【請求項１】
少なくとも１つの発光体を備え、第１の所定の発光パターンで発光する第１の発光部と、
少なくとも１つの発光体を備え、第２の所定の発光パターンで発光する第２の発光部と、
前記各発光部が発した光が透過する透過部が一部に設けられている遮光材と、
前記各発光部が発し前記遮光材の透過部を透過した光が投影されるスクリーンと、
を有することを特徴とする発光具。
【請求項２】
請求項１に記載の発光具において、
前記遮光材は、光を遮断する材料でカップ状に形成されている遮光材本体部に、少なくとも１つの貫通孔を設けることで前記透過部を形成しているか、
もしくは、
前記遮光材は、透明もしくは半透明な材料でカップ状に形成されている遮光材本体部の一部に光を遮断する材料を設け、前記遮光材本体部の、前記光を遮断する材料を設けた部位以外の部位で前記透過部を形成しており、
前記各発光部が前記遮光材の内部に設けられており、
前記スクリーンが、前記遮光材よりも大きいカップ状に形成されており、前記遮光材が前記スクリーンの内部に設けられていることを特徴とする発光具。
【請求項３】
請求項１または請求項２に記載の発光具において、
前記第１の発光部が、複数の発光体で構成されており、前記第１の発光部の各発光体のそれぞれが点滅することで、前記第１の発光部の発光箇所が時刻経過とともに変化するように構成されており、
前記第２の発光部も、複数の発光体で構成されており、前記第２の発光部の各発光体のそれぞれが点滅することで、前記第２の発光部の発光箇所が時刻経過とともに変化するように構成されていることを特徴とする発光具。
【請求項４】
請求項３に記載の発光具において、
前記遮光材は回転体状に形成されており、
前記スクリーンも回転体状に形成されており、
前記第１の発光部の各発光体は、第１の直径の円の円周に沿って配置されており、
前記第２の発光部の各発光体は、第１の直径よりも大きい第２の直径の円の円周に沿って配置されていることを特徴とする発光具。
【請求項５】
前記遮光材は回転体状に形成されており、
前記スクリーンも回転体状に形成されており、
前記第１の発光部の各発光体は、第１の直径の円の円周に沿って配置されており、
前記第２の発光部の各発光体も、前記第１の直径の円の円周に沿って配置されていることを特徴とする発光具。
【請求項６】
請求項４または請求項５に記載の発光具において、
前記第１の発光部の各発光体のそれぞれが、所定の回転方向で順に点滅するようになっており、
前記第２の発光部の各発光体のそれぞれが、前記第１の発光部の所定の回転方向とは逆方向で順に点滅するようになっていることを特徴とする発光具。
【発明の詳細な説明】
【技術分野】
【０００１】
本発明は、発光具に係り、特に、複数の発光部とスクリーンとの間に遮光材を設けたものに関する。
【背景技術】
【０００２】
従来、光源とスクリーンとの間に、一部に透過部が設けられている遮光材を備えた発光具が知られている。この従来の発光具では、遮光材の透過部を光源の光が透過することで、遮光材の透過部の形態に応じた絵柄がスクリーンに現れ、装飾性が演出されるようになっている。なお、従来の技術に関する文献として特許文献１を掲げることができる。
【先行技術文献】
【特許文献】
【０００３】
【特許文献１】特開２００８−２２８７６１号公報
【発明の概要】
【発明が解決しようとする課題】
【０００４】
ところで、従来の発光具では、スクリーンに投影される絵柄が単純であり、装飾性が劣るという問題がある。
【０００５】
なお、従来の発光具において、発光体を複数設け、点灯するものを時刻の経過に応じて変えることで、スクリーンに投影される絵柄を移動させたとしても、やはり変化にとぼしく、装飾性に劣る。
【０００６】
本発明は、上記問題点に鑑みてなされたものであり、発光部と透過部を備えた遮光材と複数の発光部とスクリーンとを備えた発光具において、従来よりも装飾性が高いものを提供することを目的とする。
【課題を解決するための手段】
【０００７】
請求項１に記載の発明は、少なくとも１つの発光体を備え、第１の所定の発光パターンで発光する第１の発光部と、少なくとも１つの発光体を備え、第２の所定の発光パターンで発光する第２の発光部と、前記各発光部が発した光が透過する透過部が一部に設けられている遮光材と、前記各発光部が発し前記遮光材の透過部を透過した光が投影されるスクリーンとを有する発光具である。
【０００８】
請求項２に記載の発明は、請求項１に記載の発光具において、前記遮光材は、光を遮断する材料でカップ状に形成されている遮光材本体部に、少なくとも１つの貫通孔を設けることで前記透過部を形成しているか、もしくは、前記遮光材は、透明もしくは半透明な材料でカップ状に形成されている遮光材本体部の一部に光を遮断する材料を設け、前記遮光材本体部の、前記光を遮断する材料を設けた部位以外の部位で前記透過部を形成しており、前記各発光部が前記遮光材の内部に設けられており、前記スクリーンが、前記遮光材よりも大きいカップ状に形成されており、前記遮光材が前記スクリーンの内部に設けられている発光具である。
【０００９】
請求項３に記載の発明は、請求項１または請求項２に記載の発光具において、前記第１の発光部が、複数の発光体で構成されており、前記第１の発光部の各発光体のそれぞれが点滅することで、前記第１の発光部の発光箇所が時刻経過とともに変化するように構成されており、前記第２の発光部も、複数の発光体で構成されており、前記第２の発光部の各発光体のそれぞれが点滅することで、前記第２の発光部の発光箇所が時刻経過とともに変化するように構成されている発光具である。
【００１０】
請求項４に記載の発明は、請求項３に記載の発光具において、前記遮光材は回転体状に形成されており、前記スクリーンも回転体状に形成されており、前記第１の発光部の各発光体は、第１の直径の円の円周に沿って配置されており、前記第２の発光部の各発光体は、第１の直径よりも大きい第２の直径の円の円周に沿って配置されている発光具である。
【００１１】
請求項５に記載の発明は、前記遮光材は回転体状に形成されており、前記スクリーンも回転体状に形成されており、前記第１の発光部の各発光体は、第１の直径の円の円周に沿って配置されており、前記第２の発光部の各発光体も、前記第１の直径の円の円周に沿って配置されている発光具である。
【００１２】
請求項６に記載の発明は、請求項４または請求項５に記載の発光具において、前記第１の発光部の各発光体のそれぞれが、所定の回転方向で順に点滅するようになっており、前記第２の発光部の各発光体のそれぞれが、前記第１の発光部の所定の回転方向とは逆方向で順に点滅するようになっている発光具である。
【発明の効果】
【００１３】
本発明によれば、発光部と透過部を備えた遮光材と複数の発光部とスクリーンとを備えた発光具において、従来よりも装飾性が高いものを提供することができるという効果を奏する。
【図面の簡単な説明】
【００１４】
【図１】本発明の実施形態に係る発光具の概略構成を示す斜視図であってスクリーンに絵柄が現れている状態を示す図である。
【図２】本発明の実施形態に係る発光具の概略構成を示す断面図である。
【図３】図２のおけるＩＩＩ矢視図であって発光部の発光体の配列を示す図である。
【図４】本発明の実施形態に係る発光具の遮光材の展開図である。
【図５】本発明の実施形態に係る発光具の概略構成を示す斜視図である。
【図６】１つ目の変形例に係る発光具の概略構成を示す図である。
【図７】２つ目の変形例に係る発光具の概略構成を示す図である。
【図８】３つ目の変形例に係る発光具の概略構成を示す図である。
【図９】４つ目の変形例に係る発光具の概略構成を示す図である。
【図１０】５つ目の変形例に係る発光具の概略構成を示す図である。
【図１１】５つ目の変形例に係る発光具の概略構成を示す断面図である。
【発明を実施するための形態】
【００１５】
本発明の実施形態に係る発光具（発光装飾具）１は、図１〜図５で示すように、第１の発光部（第１群の発光体）３と第２の発光部（第２群の発光体）５と遮光材（フィルタ）７とスクリーン９とを備えて構成されている。
【００１６】
第１の発光部３は、少なくとも１つの発光体（たとえば、ＬＥＤ）１１を備えて構成されている。第１の発光部３は、発光箇所が時刻経過とともに変化する第１の所定の発光パターンで発光するようになっている。また、たとえば、第１の発光部３は、６つのＬＥＤ１１Ａ〜１１Ｆを備えている（図３参照）。ＬＥＤ１１は、可視光を発するようになっている。そして、点灯するＬＥＤ１１が替わることで、第１の発光部３における発光箇所が時刻経過とともに変化するようになっている。
【００１７】
第２の発光部５も、少なくとも１つの発光体（たとえば、ＬＥＤ）１３を備えて構成されている。第２の発光部５は、発光箇所が時刻経過とともに変化する第２の所定の発光パターンで発光するようになっている。たとえば、第２の所定の発光パターンは、上記第１の所定の発光パターンとは異なっている。また、第２の発光部５も、６つのＬＥＤ（ＬＥＤ１１とは別個のＬＥＤ）１３Ａ〜１３Ｆを備えている（図３参照）。ＬＥＤ１３も、可視光を発するようになっている。そして、点灯するＬＥＤ１３が替わることで、第２の発光部５における発光箇所が時刻経過とともに変化するようになっている。
【００１８】
なお、ＬＥＤ１１，１３として、ビーム角がたとえば広角（たとえば、８０°〜１２０°）であるものが採用されている。
【００１９】
また、上記説明では、第１の発光部３を構成しているＬＥＤ１１Ａ〜１１Ｆと、第２の発光部５を構成しているＬＥＤ１３Ａ〜１３Ｆとを別物としているが、第１の発光部３を構成しているＬＥＤと、第２の発光部５を構成しているＬＥＤとを共通にしてもよい（兼用してもよい）。
【００２０】
たとえば、第１の発光部３を、参照符号１１Ａ〜１１Ｆで示すＬＥＤと、参照符号１３〜１３Ｆで示すＬＥＤとで構成し、第２の発光部５も、参照符号１１Ａ〜１１Ｆで示すＬＥＤと、参照符号１３〜１３Ｆで示すＬＥＤとで構成し、第１の発光部３の発光パターンと第２の発光部５の発光パターンとがお互いに異なるようにしてもよい。
【００２１】
さらに、上述したように、総てのＬＥＤ１１Ａ〜１１Ｆ，１３Ａ〜１３Ｆを、各発光部３，５で兼用することに代えて、ＬＥＤ１１Ａ〜１１Ｆ，１３Ａ〜１３Ｆの一部のＬＥＤ（たとえば、ＬＥＤ１１Ｅ，１１Ｆ，１３Ａ）のみを第１の発光部３と第２の発光部５とで兼用してもよい。
【００２２】
遮光材７は、各発光部（第１の発光部３、第２の発光部５）が発した光が透過する透過部１５が一部に設けられている。さらに説明すると、遮光材７は、透過部１５と遮光部１７とを備えて構成されており、各発光部３，５が発した光の一部が遮光部１７で遮断され、各発光部３，５が発した光の残りの一部もしくは残りの総てが透過部１５を透過するようになっている。
【００２３】
スクリーン９には、各発光部３，５が発し遮光材７の透過部１５を透過した光が投影されて絵柄３１が現れるようになっている。
【００２４】
また、遮光材７は、各発光部３，５が発する光を遮断する材料でカップ状に形成されている遮光材本体部１９に、少なくとも１つの貫通孔２１を設けることで透過部１５を形成している。貫通孔２１は、遮光材本体部１９の肉部をこの厚さ方向で貫通している。
【００２５】
貫通孔２１以外の遮光材本体部１９の部位が遮光部１７を形成している。なお、貫通孔２１には何も充填されていないが、貫通孔２１に透明材料もしくは半透明材料が充填されてよい。
【００２６】
また、遮光材７が、上述した形態とは異なる形態で形成されていてもよい。すなわち、遮光材７が、各発光部３，５体が発する光に対して透明もしくは半透明な材料でカップ状に形成されている遮光材本体部１９の一部に、各発光部３，５が発する光を遮断する材料をたとえば膜状に設けることで形成されていてもよい。そして、遮光材本体部１９の、光を遮断する材料を設けた部位以外の部位で透過部１５を形成し、光を遮断する材料が設けられた遮光材本体部１９の部位が遮光部１７を形成するようにしてもよい。
【００２７】
すなわち、図４の星印の内側を透過部１５とし星印の外部を遮光部１７としてもよいし、もしくは、図４の星印の内側を遮光部１７とし星印の外部を透過部１５としてもよい。
【００２８】
各発光部３，５は、遮光材７から離れて、カップ状の遮光材７の内部に設けられている。スクリーン９は、遮光材７よりも大きい（たとえば相似形で大きい）カップ状に形成されている。遮光材７はスクリーン９の内部に設けられている。また、スクリーン９は、遮光材７から離れており、リアタイプスクリーンになっているか、または、透明体もしくは半透明体で構成されている。
【００２９】
ここで、カップ状とは、殻状の立体を所定の１箇所（たとえば所定の１つの平面）で２つに分割したときに得られる２つの立体のうちの１つの立体（たとえば大きいほうの立体）の形状である。
【００３０】
殻状の立体とは、所定形状の立体（たとえば貫通孔が形成されていない所定形状の中実立体）の全表面を、膜（たとえば一定の厚さの膜）で覆ったときの上記膜で形成される形状の立体である。この膜の形状（殻状の立体）は、上記所定形状の立体を含まないことで内部に上記所定形状の立体と同形状の空間が形成されている。なお、上記膜の厚さが一定ではなく、部位によって適宜変化していてもよい。
【００３１】
カップ状（カップ状の立体）では、膜の厚さ方向の一方の面（カップ状の立体の外面）が全体として凸状になっており、膜の厚さ方向の他方の面（カップ状の立体の内面）が全体として凹状になっている。
【００３２】
上述したように、第１の発光部３は複数のＬＥＤ１１で構成されており、第１の発光部３の各ＬＥＤ１１（１１Ａ〜１１Ｆ）のそれぞれが独自に（お互いが異なる態様で）点灯しまた消灯する（点滅する）ことで、第１の発光部３の発光箇所が時刻経過とともに変化するように構成されている。
【００３３】
また、第２の発光部５も、複数のＬＥＤ（第１の発光部のＬＥＤとは異なるＬＥＤ）１３で構成されており、第２の発光部５の各ＬＥＤ１３（１３Ａ〜１３Ｆ）のそれぞれが独自に（お互いが異なる態様で）点灯しまた消灯する（点滅する）ことで、第２の発光部５の発光箇所が時刻経過とともに変化するように構成されている。
【００３４】
さらに、遮光材７は、回転体状に形成されており、スクリーン９も回転体状に形成されている。第１の発光部３の各ＬＥＤ１１は、図３で示すように、第１の直径の円２３の円周に沿って配置されており、第２の発光部５の各ＬＥＤ１３は、第１の直径の円２３よりも大きい第２の直径の円２５の円周に沿って配置されている。
【００３５】
各発光部３，５のＬＥＤ１１，１３は、スクリーン９の内面に向かって光を発するようになっている。
【００３６】
ここで、回転体とは、１つの平面上に１本の直線で構成された中心軸Ｃ１（図１、図２等参照）を描き、所定の１本の線を、中心軸Ｃ１まわりで３６０°回転したときに、上記所定の１本の線の軌跡で表される立体である。なお、カップ状の遮光材７やスクリーン９は、実際には肉厚があるので、上記所定の１本の線は、若干の幅を備えているものとして考えることにする。
【００３７】
上記所定の１本の線は、延伸方向の一端が中心軸Ｃ１上に存在しており、中心軸Ｃ１を境界にした上記１つの平面の一方の側で中心軸Ｃ１から離れる側に延伸している。上記所定の１本の線の延伸方向の他端は、中心軸Ｃ１から離れている。
【００３８】
カップ状の回転体においては、上記所定の１本の線は、直線、曲線の少なくともいずれかで形成されている。ただし、上記所定の１本の線が、中心軸Ｃ１に対して直交する線分のみで構成されている場合には、遮光材７は円板状になってしまいカップ状にはならない。
【００３９】
また、上記所定の１本の線は、これ自身が交わっていることはない。さらに、上記所定の１本の線が、中心軸Ｃ１に対して直交する線分のみで構成されている場合を除き、中心軸Ｃ１の延伸方向で、上記所定の１本の線の延伸方向の一端の位置と他端の位置とは、お互いが異なっている。
【００４０】
例を掲げて具体的に説明する。カップ状で回転体状の遮光材７やスクリーン９が、円錐の側面形状になっているとすると、上記所定の１本の線は、１本の線分（所定長さの直線）になる。上記１本の線分は、延伸方向の一端が中心軸Ｃ１に位置しており、中心軸Ｃ１と鋭角の交差角度（９０°以外の交差角度）で交差する態様で、中心軸Ｃ１から離れる方向に延伸している。カップ状で回転体状の遮光材７やスクリーン９の開口部は、円錐の底面の部位に形成されている。また、上記所定の１本の線分は、遮光材７やスクリーン９の母線になる。
【００４１】
第１の直径の円２３と第２の直径の円２５とは、同一平面上に存在しており、各円２３，２５の中心がお互いに一致している。また、第１の発光部３の各ＬＥＤ１１は、第１の円２３の円周を当分配する位置に配置されており、第２の発光部５の各ＬＥＤ１３は、第２の円２５の円周を当分配する位置に配置されている。
【００４２】
なお、各ＬＥＤ１１の間隔が、必ずしも一定値になっていなくてもよく、各ＬＥＤ１３の間隔が、必ずしも一定値になっていなくてもよい。
【００４３】
さらに、第１の直径の円２３の円周に沿って、各ＬＥＤ１１のうちの一部のＬＥＤと各ＬＥＤ１３のうちの一部のＬＥＤとを、たとえば交互に配し、第２の直径の円２５の円周に沿って、各ＬＥＤ１１のうちの残りのＬＥＤと各ＬＥＤ１３のうちの残りのＬＥＤとを、たとえば交互に配してあってもよい。
【００４４】
さらに具体的には、第１の直径の円２３の円周に沿って、ＬＥＤ１１Ａ、ＬＥＤ１３Ａ、ＬＥＤ１１Ｂ、ＬＥＤ１３Ｂ、ＬＥＤ１１Ｃ、ＬＥＤ１３Ｃを配置し、第２の直径の円２５の円周に沿って、ＬＥＤ１１Ｄ、ＬＥＤ１３Ｄ、ＬＥＤ１１Ｅ、ＬＥＤ１３Ｅ、ＬＥＤ１１Ｆ、ＬＥＤ１３Ｆを配置してあってもよい。
【００４５】
また、たとえば、第２の直径の円２５をやめて、第１の直径の円２３の円周を当分配する位置に、第１の発光部３の各ＬＥＤ１１と、第２の発光部５の各ＬＥＤ１３とが、交互に配置されていてもよい。すなわち、第１の直径の円２３の円周に沿って、ＬＥＤ１１Ａ、ＬＥＤ１３Ａ、ＬＥＤ１１Ｂ、ＬＥＤ１３Ｂ、ＬＥＤ１１Ｃ、・・・、ＬＥＤ１３Ｆが、所定の間隔をあけて、ならんで配置されていてもよい。また、各ＬＥＤ１１，１３の間隔が、必ずしも一定値になっていなくてもよい。
【００４６】
遮光材７の中心軸Ｃ１とスクリーン９の中心軸Ｃ１とはお互いが一致しており、第１の直径の円２３の中心と第２の直径の円２５の中心とは、遮光材７やスクリーン９の中心軸Ｃ１上に存在している。また、第１の直径の円２３や第２の直径の円２５は、回転体状の遮光材７の開口部を塞ぐ態様で設けられており、各発光部３，５のＬＥＤ１１，１３は、遮光材７の内側に設けられており、上述したようにビーム角が広角になっていることで、指向性が低いか指向性をほとんど持たない態様で光を発するようになっている。
【００４７】
なお、上記説明では、回転体の肉部の厚さが一定になっているが、回転体の肉部の厚さが若干変化していてもよい。たとえば、図１０、図１１で示すスクリーン９では、肉部の厚さが、矢印Ａ１で示す方向（回転体の母線の延伸方向）だけでなく、矢印Ａ２で示す方向（中心軸Ｃ１まわりの回転方向）でも若干変化しているので、厳密には回転体とは言えない。しかし、上記若干の変化が所定の規則性もっているので、回転体として考えてもよいことにする。
【００４８】
第１の発光部３の各ＬＥＤ１１（１１Ａ〜１１Ｆ）のそれぞれは、所定の回転方向（図３の矢印Ａ３参照）で順に点灯し消灯する（点滅する）ようになっている。第２の発光部５の各ＬＥＤ１３（１３Ａ〜１３Ｆ）のそれぞれは、第１の発光部３の所定の回転方向とは逆方向（図３の矢印Ａ４参照）で順に点灯し消灯する（点滅する）ようになっている。
【００４９】
さらに説明すると、第１の発光部３の各ＬＥＤ１１（１１Ａ〜１１Ｆ）は、上述したように、それぞれが点滅するようになっている。すなわち、第１の発光部３の各ＬＥＤ（１１Ａ〜１１Ｆ）のそれぞれは、点灯と消灯とを繰り返すようになっている。たとえば、点灯時間よりも消灯時間のほうが長くなっている。
【００５０】
そして、第１の発光部３の総てのＬＥＤ１１が消灯している状態から、１つ目のＬＥＤ１１Ａが点灯し消灯し、続いて、１つ目のＬＥＤ１１Ａの隣りの１つのＬＥＤである２つ目のＬＥＤ１１Ｂが点灯して消灯し、続いて、２つ目のＬＥＤ１１Ｂの隣りの１つのＬＥＤ（１つ目のＬＥＤ１１Ａとは反対側のＬＥＤ）である３つ目のＬＥＤ１１Ｃが点灯して消灯し、続いて、・・・１つ目のＬＥＤ１１Ａに隣接する６個目のＬＥＤ１１Ｆが点灯し消灯し、続いて、１つ目のＬＥＤ１１Ａが点灯し消灯する動作を繰り返すようになっている。つまり、第１の直径の円２３の円周に沿って各ＬＥＤ１１（１１Ａ〜１１Ｆ）が順に点灯し消灯する動作を円の複数周にわたって行うようになっている。
【００５１】
なお、第１の発光部３において、上記説明では、２つ以上の複数のＬＥＤ１１が同時に点灯することはないが、複数のＬＥＤ１１が同時に点灯する場合があるように構成されていてもよい。たとえば、１つ目のＬＥＤ１１Ａが点灯している状態で２つ目のＬＥＤ１１Ｂが点灯し始め２つ目のＬＥＤ１１Ｂが点灯している状態で１つ目のＬＥＤ１１Ａが消灯するように構成されていてもよい。また、各ＬＥＤ１１のそれぞれが、円周に沿って順に点滅するのではなく、ランダムに点滅するように構成されていてもよい。
【００５２】
第２の発光部５の各ＬＥＤ１３（１３Ａ〜１３Ｆ）は、第１の発光部３の所定の回転方向とは逆方向（図３の矢印Ａ４参照）で、第１の発光部３の各ＬＥＤ１１と同様に、各ＬＥＤ１３が順に点灯し消灯するようになっている。
【００５３】
ここで、発光具１についてさらに詳しく説明する。
【００５４】
発光具１は、円板状のベース体２７を備えている。ベース体２７の上面中央には、発光部設置体２９が設けられている。発光部設置体２９の内部には、電源（電池；図示せず）と制御部（図示せず）とが設けられている。これにより、各発光部３，５の各ＬＥＤ１１，１３が所定の発光パターンで発光するようになっている。各発光部３，５の各ＬＥＤ１１，１３は、発光部設置体２９の上面中央部に設けられている。
【００５５】
遮光材７は、円錐側面状に形成されている。したがって、遮光材７の展開図は図４で示すような扇形になる。スクリーン９も円錐側面状に形成されているので、スクリーン９の展開図も図示していないが扇形になる。
【００５６】
遮光材７は、発光部設置体２９が設けられているベース体２７の中央部の上面を覆うようにして、ベース体２７に設けられている。遮光材７の下端はベース体２７の上面に接しており、遮光材７の下端の開口部はベース体２７で塞がれている。
【００５７】
スクリーン９は、発光部設置体２９と遮光材７とが設けられているベース体２７の上面を覆うようにして、ベース体２７に設けられている。スクリーン９の下端はベース体２７の上面に接しており、スクリーン９の下端の開口部はベース体２７で塞がれている。これにより、発光具１の外観が、突出部や凹部が非存在である円錐状になっている。
【００５８】
次に、発光具１に動作について説明する。
【００５９】
各発光部３，５の総てのＬＥＤ１１，１３が消灯している状態から、ＬＥＤ１１，１３が点灯すると、ＬＥＤ１１やＬＥＤ１３から出射された光が遮光材７の透過部１５を通過してスクリーン９に至り、図１で示すように、透過部１５の形状に応じた絵柄３１がスクリーン９に映る。
【００６０】
第１の発光部３のＬＥＤ１１が所定の回転方向で点滅し、第２の発光部５のＬＥＤ１３が逆の回転方向で点滅すると、絵柄３１は、一方の方向（矢印Ａ５の方向）に移動するとともに、他の方向（矢印Ａ６の方向）に移動する。
【００６１】
なお、図１では、１つの透過部１５を通過してきた絵柄３１（たとえば絵柄３１Ａ）が１つのものとして描かれている。しかし、１つの透過部１５に対するＬＥＤ１１（たとえばＬＥＤ１１Ａ）の位置とＬＥＤ１３（たとえばＬＥＤ１３Ａ）の位置とがお互いにずれていることにより、絵柄３１Ａは、実際には、大きさと位置とが若干ずれて２つになる。
【００６２】
発光具１によれば、第１の所定の発光パターンで発光する第１の発光部３と、第２の所定の発光パターンで発光する第２の発光部５とを備えているので、各発光部３，５が発し遮光材７の透過部１５を通過した光がスクリーン９に投影されるとき、透過部１５の形態に応じた絵柄３１が複雑に変化し、従来のものに比べて装飾性が高くなる。
【００６３】
すなわち、第１の発光部３によってスクリーン９に映る絵柄３１と、第２の発光部５によってスクリーン９に映る絵柄３１とが、お互いに異なる態様（逆まわり等の態様）で変化するので、絵柄３１の変化の予測がしにくくなり、発光具１を見ている者が退屈さを感じにくくなる。
【００６４】
また、発光具１によれば、遮光材７とスクリーン９とがカップ状に形成されており、遮光材７の内側に発光部３，５が設けられており、スクリーン９の内側に遮光材７が設けられているので、シンプルな形状で、装飾性を高めることができる。
【００６５】
また、発光具１によれば、第１の発光部３が複数のＬＥＤ１１で構成されており、第１の発光部３の各ＬＥＤ１１のそれぞれが点灯しまた消灯することで第１の発光部３の発光箇所が時刻経過とともに変化するように構成されており、第２の発光部５も同様に構成されているので、構成を簡素化し耐久性を向上させることができるとともに、発光パターンを容易に変更することができる。
【００６６】
また、発光具１によれば、遮光材７やスクリーン９が回転体状に形成されており、第１の発光部３の各ＬＥＤ１１が第１の直径の円２３の円周に沿って配置されており、第２の発光部５の各ＬＥＤ１３が第１の直径よりも大きい第２の直径の円２５の円周に沿って配置されているので、スクリーン９に調和した態様の絵柄３１を映すことができる。
【００６７】
また、発光具１によれば、第１の発光部３の各ＬＥＤ１１のそれぞれが所定の回転方向で順に点灯し消灯するようになっており、第２の発光部５の各ＬＥＤ１３のそれぞれが、第１の発光部３の所定の回転方向とは逆方向で順に点灯し消灯するようになっているので、第１の発光部３で生成される絵柄３１に対して第２の発光部５で生成される絵柄３１が逆行し、さらに調和のとれた絵柄３１を表示することができる。
【００６８】
ところで、発光具１を、図６〜図１１等で示すように変形してもよい。
【００６９】
図６で示す発光具１は、スクリーン９が球冠殻状の立体で形成されている。球冠殻状の立体とは球殻状の立体を、所定の１つの平面で分割したときに得られる２つの立体のうちの１つの立体（たとえば、大きいほうの立体）である。
【００７０】
球殻状の立体とは、第１の球から第２の球を除くことで形成される立体である。第２の球の直径は、第１の球の半径よりも僅かに小さく、第２の球は第１の球の内側に位置し、第１の球の中心と第２の球の中心とはお互いが一致している。
【００７１】
なお、スクリーン９を球冠殻状にすることに代えてもしくは加えて遮光材７を球冠殻状にしてもよい。
【００７２】
図７で示す発光具１は、遮光材７が円筒状の部位３５の一方の開口部を円板状の部材３３で塞いだ形状に形成されている。透過部１５は、遮光材本体部１９を構成している円板状の部材３３のみに設けられている。遮光材７の他方の開口部は、ベース体２７で塞がれており、上記円筒状の部材３３の内部でベース体２７に発光部設置体２９が設けられており、発光部設置体２９に第１の発光部３と第２の発光部５とが設けられている。
【００７３】
スクリーン９は、たとえば平板状に形成されており、円板状の部材３３を間にして、各発光部３，５とは反対側で、発光部３，５から見て遮光材７等の外側に設けられている。なお、図７では、理解しやすいように、遮光材７等を断面で描いてあり、スクリーン９を斜視図で描いているが、実際には、図８で示すように、スクリーン９の厚さ方向と、遮光材７が円筒の中心軸Ｃ１の延伸方向とはお互いが一致している。
【００７４】
図８で示す発光具１は、図７で示すものに加えて、円筒状の部位３５にも透過部１５が設けられていることで、円筒状の部位３５も遮光材７を構成しているともに、遮光材７の外側に円筒状のスクリーン９（９Ａ）が設けられている。
【００７５】
なお、図８で示す発光具１において、円板状の部材３３の透過部１５を削除し、平板状のスクリーン９を削除してもよい。
【００７６】
図９で示す発光具１は、図７で示す発光具１と同様に構成されているが、第１の発光部３が、１つのＬＥＤ１１で構成されており、この１つのＬＥＤ１１が点滅しつつ遮光材７に対して所定の運動（移動）をすることで、第１の発光部３の発光箇所が時刻経過とともに変化するように構成されている。ＬＥＤ１１の移動は、モータ３７等のアクチュエータにより、回転の態様でなされるようになっている。
【００７７】
１つのＬＥＤ１１は、移動と停止を繰り返し、移動しているときには消灯しており、停止しているときに点灯するようになっている。なお、１つのＬＥＤ１１がこのＬＥＤ１１の移動と停止とに関係なく点滅をするようになっていてもよいし、１つのＬＥＤ１１が停止することなく移動し続けて点滅するようになっていてもよい。
【００７８】
さらに、第１の発光部３が、複数のＬＥＤ１１で構成されており、各ＬＥＤ１１がともに移動し点滅するようになっていてもよい。また、各ＬＥＤ１１のそれぞれが独自に点滅するようになっていてもよい。
【００７９】
第２の発光部５も、第１の発光部３と同様にして、第２の発光部５の発光箇所が時刻経過とともに変化するように構成されている。なお、第２の発光部５が、たとえば別のアクチュエータもしくは別個の機構により、第１の発光部３とは異なる態様に移動するようになっていることが望ましい。
【００８０】
図１０、図１１で示す発光具１は、円錐側面状のスクリーン９が、透明体もしくは半透明体で構成されており、やや肉厚に形成されており、外側に適宜凹凸が形成されていることで、外形が樅ノ木状（クリスマスツリーのような形態）になっている。
【００８１】
スクリーン９に内部の空間は円錐状に形成されている。遮光材７は、円錐状に形成されているが、上端に円形状の小さい開口部３９が形成されている。遮光材７の肉部には透過部（図１１では図示せず）が形成されている。
【００８２】
遮光材７の内部には、図１０、図１１では図示していないが、各発光部３，５が設けられている。各発光部３，５が発した光が、開口部３９を通過して、スクリーン９の頂上部に照射され、頂上部（クリスマスツリーの頂上の星に該当する部位）が発光する（たとえば点滅する）ようになっている。また、各発光部３，５が発した光が、遮光材７の透過部１５を通って、スクリーン９の側面部に投影されるようになっている。
【００８３】
ところで、発光具１において、各発光部が、可視光線に代えてもしくは加えて、可視光線よりも波長の短い光（たとえば、紫外線）を発するようになっており、スクリーン９が蛍光材料を含んで構成されていてもよい。そして、各発光部３，５が発した光を受けてスクリーン９の蛍光体が可視光を発するように構成されていてもよい。
【００８４】
また、発光具１には、発光部３，５が２つ設けられているが、発光部が３つ以上の複数設けられていてもよい。
【符号の説明】
【００８５】
１  発光具
３  第１の発光部
５  第２の発光部
７  遮光材
９  スクリーン
１１、１３  発光体
１５  透過部
１９  遮光材本体部
２１  貫通孔
２３  第１の直径の円
２５  第２の直径の円
【図１】
2016206537.tif 000003
【図２】
2016206537.tif 000004
【図３】
2016206537.tif 000005
【図４】
2016206537.tif 000006
【図５】
2016206537.tif 000007
【図６】
2016206537.tif 000008
【図７】
2016206537.tif 000009
【図８】
2016206537.tif 000010
【図９】
2016206537.tif 000011
【図１０】
2016206537.tif 000012
【図１１】
2016206537.tif 000013